(57)【要約】【課題】  本願発明は、設定環境、使用環境に応じて各種機能を付加することができる防犯レンズの提供を目的とする。【解決手段】  防犯レンズＡは、ダブルドアのドア板３、４に形成された取付孔３０、４０を介して螺合される第１の筒状体（内筒１）及び第２の筒状体（外筒２）とからなる。前記内筒１は、前記取付孔３０の室外側に位置される室外側フランジ部１０と、前記取付孔３０に嵌合される嵌合部１３と、前記取付孔３０の室内側に位置される室内側端部１４を備え、一方、前記外筒２は、前記内筒１の室内側端部１４から螺着される被螺着部２３と、室内側に臨まされる接眼端部２４を備えると共に、前記室外側フランジ部１０と前記取付孔３０の間及び前記取付孔４０と前記接眼端部２５の間に取付可能なフック部６０を備えている。【選択図】        図１
2008019689.tif 000002
【特許請求の範囲】
【請求項１】
ドアに設けられた取付孔を介して取付けられる第１の筒状体及び第２の筒状体とからなり、
前記第１の筒状体は、前記取付孔の室外側に位置される室外側フランジ部と、
前記取付孔に嵌合される嵌合部と、前記取付孔の室内側に位置される室内側端部を備え、一方、前記第２の筒状体は、前記第１の筒状体の室内側端部から螺着される被螺着部と、室内側に臨まされる接眼端部を備えると共に、
前記室外側フランジ部と前記取付孔の間及び前記取付孔と前記接眼端部の間に取付可能なフック部を備えていることを特徴とする防犯レンズ。
【請求項２】
ドアに設けられた取付孔を介して取付けられる第１の筒状体及び第２の筒状体とからなり、
前記第１の筒状体は、前記取付孔の室外側に位置される室外側フランジ部と、
前記取付孔に嵌合される嵌合部と、前記取付孔の室内側に位置される室内側端部を備え、一方、前記第２の筒状体は、前記第１の筒状体の室内側端部から螺着される被螺着部と、室内側に臨まされる接眼端部を備えると共に、
前記室外側フランジ部と前記取付孔の間及び前記取付孔と前記接眼端部の間に取付可能なプレート部付きフック部を備えていることを特徴とする防犯レンズ。
【請求項３】
ドアに設けられた取付孔を介して取付けられる第１の筒状体及び第２の筒状体とからなり、
前記第１の筒状体は、前記取付孔の室外側に位置される室外側フランジ部と、
前記取付孔に嵌合される嵌合部と、前記取付孔の室内側に位置される室内側端部を備え、一方、前記第２の筒状体は、前記第１の筒状体の室内側端部から螺着される被螺着部と、室内側に臨まされる接眼端部を備えると共に、
前記室外側フランジ部と前記取付孔の間及び前記取付孔と前記接眼端部の間に取付可能なプレート部を備えていることを特徴とする防犯レンズ。
【請求項４】
前記フック部は、前記室外側フランジ部と前記取付孔間において前記嵌合部を軸にして空転可能に配置されている空転リングを介して、空転可能に取り付けられていることを特徴とする請求項１に記載の防犯レンズ。
【請求項５】
前記フック部は、前記室外側フランジ部と前記取付孔間において前記嵌合部に形成される空転リング部を介して、空転可能に取り付けられていることを特徴とする請求項１に記載の防犯レンズ。
【請求項６】
前記プレート部付きフック部は、前記室外側フランジ部と前記取付孔間において前記嵌合部を軸にして空転可能に配置されている空転リングを介して、空転可能に取り付けられていることを特徴とする請求項２に記載の防犯レンズ。
【請求項７】
前記プレート部付きフック部は、前記室外側フランジ部と前記取付孔間において前記嵌合部に形成される空転リング部を介して、空転可能に取り付けられていることを特徴とする請求項２に記載の防犯レンズ。
【請求項８】
前記プレート部は、前記室外側フランジ部と前記取付孔間において前記嵌合部を軸にして空転可能に配置されている空転リングを介して、空転可能に取り付けられていることを特徴とする請求項３に記載の防犯レンズ。
【請求項９】
前記プレート部は、前記室外側フランジ部と前記取付孔間において前記嵌合部に形成される空転リング部を介して、空転可能に取り付けられていることを特徴とする請求項３に記載の防犯レンズ。
【発明の詳細な説明】
【技術分野】
【０００１】
本発明は、ドアに取り付けられ、室内から外部の様子を広範囲にわたって観察することができる防犯レンズに関し、特に防犯レンズの設置環境に応じて各種機能を付加可能な防犯レンズに関する。
【背景技術】
【０００２】
ドアを施錠したまま、室内から訪問者の様子を観察できる防犯レンズは、今日の防犯意識の高まりと共に、その重要性を増している。
【０００３】
その期待に答えるため出願人は防犯レンズのトップメーカーとして、各種防犯レンズを開発し、製造している（特許文献１〜特許文献５）。
【特許文献１】特開２０００−２９７５８３
【特許文献２】特開２００２−３０８７５
【特許文献３】特開２００４−８４１９７
【特許文献４】特開２００４−１００４５５
【特許文献５】特開２００６−１６９５０
【発明の開示】
【発明が解決しようとする課題】
【０００４】
しかし一方で、防犯レンズの重要性が増すにつれて、これが設置され、使用される環境や地域も変化し拡大し、新たな環境条件での仕様態様が求められ、そこに新たな技術的な課題が発生する。
【０００５】
今日の技術的課題は、第１に室外と室内の温度差が大きい場合に生じ易いレンズの曇り対策（防曇対策）である。このような事象は特に寒冷地等で発生し易い。
第２に塩分が付着する場合に生じ易い塩害への対策（塩害対策）である。このような事象は特に海岸地域等で発生し易い。
第３にドアに設けた防犯レンズの取付孔からドアの内部に浸入するおそれがある雨水等及び防犯レンズ自体に対する防水対策である。
第４に防犯レンズが不審者により室外側から取外されてしまう危険性への対策（回止対策）である。これは、特許文献１に開示した取外防止のための回止機構を補完できるものである。
第５に防犯レンズを通じて室外から室内の様子を伺う不審者に対する対策（裏蓋対策）である。
これは、特許文献４及び５に開示した裏蓋機構を更に充実させるものである。
第６にこれら各対策を施すことが可能な防犯レンズの付属的な価値を高めることである。
【０００６】
本願発明は、上記第１〜第６の各課題を解決することにより、設定環境、使用環境に応じて各種機能を付加することができる防犯レンズの提供を目的とする。
【課題を解決するための手段】
【０００７】
この目的を達成するため、ドアに設けられた取付孔を介して取付けられる第１の筒状体及び第２の筒状体とからなり、前記第１の筒状体は、前記取付孔の室外側に位置される室外側フランジ部と、前記取付孔に嵌合される嵌合部と、前記取付孔の室内側に位置される室内側端部を備え、一方、前記第２の筒状体は、前記第１の筒状体の室内側端部から螺着される被螺着部と、室内側に臨まされる接眼端部を備えると共に、前記室外側フランジ部と前記取付孔の間及び前記取付孔と前記接眼端部の間に取付可能なフック部を備えていることを特徴とする防犯レンズとした（請求項１に記載の発明）。
【０００８】
この目的を達成するため、ドアに設けられた取付孔を介して取付けられる第１の筒状体及び第２の筒状体とからなり、前記第１の筒状体は、前記取付孔の室外側に位置される室外側フランジ部と、前記取付孔に嵌合される嵌合部と、前記取付孔の室内側に位置される室内側端部を備え、一方、前記第２の筒状体は、前記第１の筒状体の室内側端部から螺着される被螺着部と、室内側に臨まされる接眼端部を備えると共に、前記室外側フランジ部と前記取付孔の間及び前記取付孔と前記接眼端部の間に取付可能なプレート部付きフック部を備えていることを特徴とする防犯レンズとした（請求項２に記載の発明）。
【０００９】
この目的を達成するため、ドアに設けられた取付孔を介して取付けられる第１の筒状体及び第２の筒状体とからなり、前記第１の筒状体は、前記取付孔の室外側に位置される室外側フランジ部と、前記取付孔に嵌合される嵌合部と、前記取付孔の室内側に位置される室内側端部を備え、一方、前記第２の筒状体は、前記第１の筒状体の室内側端部から螺着される被螺着部と、室内側に臨まされる接眼端部を備えると共に、前記室外側フランジ部と前記取付孔の間及び前記取付孔と前記接眼端部の間に取付可能なプレート部を備えていることを特徴とする防犯レンズ（請求項３に記載の発明）とした。
【００１０】
上記発明において、前記フック部は、前記室外側フランジ部と前記取付孔間において前記嵌合部を軸にして空転可能に配置されている空転リングを介して、空転可能に取り付けられていることを特徴とする（請求項４に記載の発明）。
また、前記フック部は、前記室外側フランジ部と前記取付孔間において前記嵌合部に形成される空転リング部を介して、空転可能に取り付けられていることを特徴とする（請求項５に記載の発明）。
【００１１】
上記発明において、前記プレート部付きフック部は、前記室外側フランジ部と前記取付孔間において前記嵌合部を軸にして空転可能に配置されている空転リングを介して、空転可能に取り付けられていることを特徴とする（請求項６に記載の発明）。
また、前記プレート部付きフック部は、前記室外側フランジ部と前記取付孔間において前記嵌合部に形成される空転リング部を介して、空転可能に取り付けられていることを特徴とする（請求項７に記載の発明）。
【００１２】
上記発明において、前記プレート部は、前記室外側フランジ部と前記取付孔間において前記嵌合部を軸にして空転可能に配置されている空転リングを介して、空転可能に取り付けられていることを特徴とする（請求項８に記載の発明）。
また、前記プレート部は、前記室外側フランジ部と前記取付孔間において前記嵌合部に形成される空転リング部を介して、空転可能に取り付けられていることを特徴とする（請求項９に記載の発明）。
【発明の効果】
【００１３】
本発明の防犯レンズによれば、防犯レンズの本来の機能に加え、フック部等により、防犯レンズが付けられたドアに新たな機能を付属させることができる。また、回止対策用の防犯レンズの付属的な価値を高めることができる。
【発明を実施するための最良の形態】
【００１４】
（第１実施形態  回止対策＋付属機能）
本発明に係る防犯レンズの実施形態を図面に基づいて詳細に説明する。
図１は第１実施形態に係る防犯レンズの縦中央片面断面図、図２は同防犯レンズの分解斜視図である。
なお、これらの各図及び以下に説明する各図において、同一の構成は同一の符号を付して詳細な説明を省略する。
また各図において防犯レンズのレンズ系の図示を省略する場合がある。
【００１５】
第１実施形態に係る防犯レンズＡは、ダブルドアのドア板３、４に形成された取付孔３０、４０を介して螺合される第１の筒状体（内筒１）及び第２の筒状体（外筒２）とからなる。
前記内筒１は、前記取付孔３０の室外側に位置される室外側フランジ部１０と、前記取付孔３０に嵌合される嵌合部１３と、前記取付孔３０の室内側に位置される室内側端部１４を備え、一方、前記外筒２は、前記内筒１の室内側端部１４から螺着される被螺着部２３と、室内側に臨まされる接眼端部２４を備えると共に、前記室外側フランジ部１０と前記取付孔３０の間及び前記取付孔４０と前記接眼端部２５の間に取付可能なフック部６０を備えている。
【００１６】
前記フック部６０は、後述の第１の空転リング（図２３参照）６の一部を延出してフック状に形成したもので、第１の空転リング６ａとフック片６０ａからなる。
前記フック部６０の形成方法としては、プレス加工によりリング６ａと一体成形する方法、フック片６０ａとリング６ａを溶着する方法等がある。
【００１７】
前記フック部６０は、前記室外側フランジ部１０と前記取付孔３０間においては、前記嵌合部１３を軸にして空転可能に配置されている第２の空転リング（詳細は後述）７ａの外周に沿って空転可能に取り付けられている。
一方、前記フック部６０は、前記取付孔４０と前記接眼端部２４の間においては、第１の空転リング６ａが被螺着部２３に挿通されて、ドア板４と接眼端部２５間に圧着されるように取り付けられている。
よって、前記フック部６０は前記室外側フランジ部１０と前記取付孔３０間又は前記取付孔４０と前記接眼端部２５の間の何れか一方の間及び両方の間に取付けられるようになっている。なお、符号「１ｆ」で示すものはレンズカバーであり、このレンズカバーは、前記フック部６０の第１の空転リング６ａと接眼端部２４間に取付けられている。
【００１８】
この防犯レンズＡによれば、前記第１の空転リング６ａをスパナ等の冶具で掴み回しても空回りするのみで、室外側フランジ部１０が同調して回ることはなく、また、室外側フランジ部１０自体を把持することは極めて困難であって、回止対策になっている。
また、室外側の前記フック部６０には、表札、メモ、季節毎の装飾品、例えばクリスマス時のリース、正月飾り等を取付けることができる。
一方、室内側の前記フック部６０には、模造花等の装飾品、メモ、筆記用具、印鑑等をぶら下げる等して取付けることができる。
【００１９】
なお、前記第１の空転リング６ａと第２の空転リング７ａとを一体化させ、これを前記嵌合部１３に取り付けてもよい。
この場合、後述のように「第２の空転リング７の厚さは、前記第１の空転リング６よりも若干肉厚に形成されている」が、前記第１の空転リング６ａと第２の空転リング７ａとを一体化させて形成される前記フック部６０の場合は、その厚さについては、均一でもよい。
なお、既存の防犯レンズに、前記フック部６０とこれを空転させる第２の空転リング７ａを配置することで、すでにドアに設置されている防犯レンズに回止対策等の機能を加えることができる。
前記防犯レンズＡはダブルドア用のものであったが、一枚ドア用の防犯レンズ（図２１参照）に上記構成を用いても良い。
【００２０】
（第２実施形態  回止対策＋付属機能）
前記第２の空転リング７ａに代わり、図３及び図４に示したように、前記嵌合部１３に形成される空転リング部１３１ｂを介して、前記フック部６０を空転可能に取付けて、防犯レンズＢとしても良い。
前記空転リング部の詳細は後述するが、その外周面を前記フック部６０の第１の空転リング６ａが空回り可能なサイズで円盤状に形成されている。
その他の構成は、上記実施形態と同様であり、同様の作用効果を奏する。
【００２１】
（第３実施形態  回止対策＋付属機能）
前記フック部６０に代わり、図５及び図６に示したように、プレート部６２付きフック部６１を備えた防犯レンズＣとしてもよい。
前記フック部６１は、前記第１の空転リング６ａのフック片６０ａを更に引き伸ばしてフック片６１ａとする共に、そのフック片６１ａにプレート部６２を取付けものである。
このプレート部６２は、フック片６１ａと共にプレス加工により一体成形してもよいし、プレート部６２をフック片６１ａに溶着してもよい。
その他の構成は、上記実施形態と同様であり、詳細な説明は省略する。
【００２２】
この防犯レンズＣによれば、上記実施形態と同様な作用効果を奏する共に、さらに室外のプレート部６２を表札にしたり、室内外のプレート部６２にメモ等を貼付けたりすることができる。
【００２３】
（第４実施形態  回止対策＋付属機能）
前記第２の空転リング７ａに代わり、図７に示したように、前記嵌合部１３の空転リング部１３１ｂを介して、前記フック部６１を空転可能に取付けるようにして防犯レンズＤとしてもよい。
その他の構成は、上記実施形態と同様であり、同様の作用効果を奏する。
【００２４】
（第５実施形態  回止対策＋付属機能）
前記フック部６０に代わり、図８及び図９に示したように、プレート部６５を取付けた防犯レンズＥでもよい。
前記プレート部６５は、第１の空転リング６ａと共に、プレス加工により一体成形してもよいし、プレート板をリング６ａに溶着してもよい。
その他の構成は、上記第１実施形態等の各実施形態と同様であるので詳細な説明は省略する。
この防犯レンズＥによれば、上記各防犯レンズと同様な作用効果を奏する共に、室内外の前記プレート部６５に表札、メモ等を貼付けたり、彫刻等することができる。
【００２５】
（第６実施形態  回止対策＋付属機能）
前記第２の空転リング７ａに代わり、図１０に示したように、前記嵌合部１３の空転リング部１３１ｂを介して、前記プレート部６５を空転可能に取付けてなる防犯レンズＦにしても良い。
その他の構成は、上記実施形態と同様であり、同様の作用効果を奏する。
【００２６】
上記各防犯レンズＡ乃至Ｆには、次のように各機能を付加させることができる。
（防曇機能）
まず、防曇機能について説明する。
防曇機能は、図１１及び図１２に示したように、内筒１に配置されるレンズ系（レンズ１２０、１２１、１２２及び１２３）の前記レンズ１２１とレンズ１２２によって区間される空間１６に連通される孔１７と、この孔１７を封止する封止部１７Ａと、前記空間１６に封止される防曇用のガス体１９を備えて構成されている。
以下、レンズ１２０及び１２１を「対物レンズ」と、レンズ１２２を「接眼レンズ」と、レンズ１２３を「広角レンズ」ともいう。
【００２７】
この実施形態に係る防犯レンズＧでは、前記ガス体１９を封止する封止部１７Ａの先端が、室内側端部（接眼端部２４）１０Ａから室外側への視界を妨げないようにする必要があった。
この場合、肉薄の雄ねじ部１０Ｂより肉厚の前記嵌合部１３に孔を設けて、その孔に封止部としてのネジを螺着することが望ましい。前記雄ねじ部１０Ｂに孔を設けて、この孔をネジにより封止するとそのネジの先端が視界に入ってしまう恐れがある。
通常、嵌合部はその内側に前記レンズ１２０、１２１をセットできるような幅で、取付孔３０から室内側に突出しているが、この実施形態では嵌合部を室内側にさらに延出して、前記レンズ１２０、１２１と孔１７が干渉しないように、孔１７を設けるためのスペースを確保し、嵌合部１３を形成している。
【００２８】
前記空間１６は、レンズ１２１とレンズ１２２により気密性が備わっており、空間１６を湿度の低い雰囲気にすることがレンズ１２１とレンズ１２２の曇り防止に有効である。
【００２９】
前記孔１７は、前記空間１６から真空を引いた後、ガス体１９を注入することができる程度の径を備え、封止部１７Ａを螺着できるネジ山を備えている。
【００３０】
前記封止部１７Ａは、典型的にはネジで構成され、例えば通称「イモネジ」を用いればよい。
【００３１】
前記ガス体１９としては、前記空間１６を湿度の低い雰囲気に形成できるものであればどのようなものでもよく、この実施形態では「ドライチスト」（商品名）が用いられるが、その他、不活性の窒素、乾燥空気等でもよい。
また、前記ガス体１９は、前記空間１６に略１気圧又はそれよりも高い気圧で封入されていればよい。
【００３２】
以上のような構成の防犯レンズＧによれば、前記ガス体１９により、前記空間１６のレンズ１２１とレンズ１２２の防曇効果が発揮され、室外と室内の温度差が大きい場所に設置される防犯レンズに生じ易く、また、寒冷地等で発生し易いレンズの曇り防止し、新たな環境条件での仕様態様に合致させた防犯レンズとなっている。
【００３３】
なお、前記室外側フランジ部１０とキャップ１８が接する部分、例えば螺着部分又は／及びキャップ１８とレンズ１２３が接する部分をシーリングして防水性を高めてもよい。
さらに、シーリング部分のシール剤に代えて接着剤を用いることで防水性を高めると共に、前記室外側フランジ部１０とキャップ１８の固着、またはキャップ１８とレンズ１２３の固着を強固にすることができる。
このように防犯レンズＧの防水性を高めることで、レンズ１２３の空間１６Ａの曇りを防止することができ、またレンズ１２３の周囲又は前記レンズ１２０、レンズ１２１の周囲から前記空間１６に浸入してくる恐れがある湿気を遮断することができる。
【００３４】
この第１実施形態では、広角レンズ１２３が取付けられているが、この広角レンズ１２３を省いた防犯レンズ、キャップ１８を省略した防犯レンズに上記構成を用いても良いし、また、一枚ドア用の防犯レンズ（図２１参照）に上記構成を用いても良い。
【００３５】
また、上記各防犯レンズにつき、レンズ１２２とレンズ１２１間にスリーブ１５（図１７参照）を配置してもよく、この構成ではスリーブ１５にも前記孔１７と同様な孔を形成する必要がある。
また、前記孔１７は前記嵌合部１３に設けたが、封止部１７Ａに用いる部材が、前記室内側端部１０Ａからの視野に入らなければ、前記雄ねじ部１０Ｂに設けてもよい。例えば上記スリーブ１５を配置する場合には、前記雄ねじ部１０Ｂの肉厚にスリーブ１５の肉厚がプラスされるので、前記雄ねじ部１０Ｂに前記孔１７を設けることができる。
その他の構成を上記各実施形態と同様にすることにより、略同一の作用効果を得ることができる。
【００３６】
（塩害対策）
図１３は塩害対策を施した防犯レンズの縦中央片面断面図、図１４は同防犯レンズの分解斜視図である。
前記防犯レンズＨは、前記防犯レンズＧの前記孔１７、前記封止部１７Ａ及び前記ガス体１９を省略すると共に、前記キャップ１８に塗装１８０を施したものである。
【００３７】
塗装１８０の塗料としては、前記キャップ１８の素材、例えば真鍮に塗膜を形成できものであればよく、耐塩害用の塗料であればなお良い。
塗膜の色彩は、どのようなものでもよく、ドアの色彩に合わせることができる。
【００３８】
この実施形態では、前記キャップ１８に塗膜を形成しているが、前記内筒１の外面全体に塗膜を形成してもよく、さらに外筒２の外面全体に塗膜を形成してもよい。
また、この広角レンズ１２３を省いたキャップ付き防犯レンズの場合にも同様にキャップのみの塗膜でもよい。また、キャップを省いた防犯レンズの場合には室外側フランジ部のみでもよい。さらに上記各防犯レンズにおいて内筒の外面全体に、外筒の外面全体に塗膜を形成してもよい。
【００３９】
以上のような構成の防犯レンズＨによれば、室外側に露出している部分、即ち、キャップ１８等の下地部分への塩分の付着を前記塗膜１８０により避けることができ、海岸地方等の新たな環境条件での仕様態様に合致させた防犯レンズとなっている。
また、塗膜の色彩をドアの色彩に合わせることができ、防犯レンズに斬新性を与えることができる。
その他の構成を上記各実施形態と同様にすることにより、略同一の作用効果を得ることができる。
【００４０】
（防水対策）
図１５は防水対策に係る防犯レンズの縦中央片面断面図、図１６は同防犯レンズの分解斜視図である。
前記防犯レンズＩは、防犯レンズＨの塗膜１８０を省略すると共に、前記室外側フランジ部１０と前記ドア板３間に防水リング１００を配置したものである。
【００４１】
前記防水リング１００は、前記嵌合部１３を跨ぐように取付けられるリング状のもので、その内径は前記嵌合部１３の径に略等しく、その外径は前記内径に数ｍｍ程度の幅を加えればよく、最大外径は前記室外側フランジ１０の外径に略等しければよい。
前記防水リング１００の素材は弾性材であるゴムであるが、これに限定されるものでもない。
【００４２】
以上のような構成の防犯レンズＩによれば、ドア３の取付孔３０からドアの内部に浸入する雨水等を防ぐことができ、ドアの傷みを防ぐことができる。
また、前記防水リング１００が前記室外側フランジ１０と前記ドア板３間で圧着されているので、前記防水リング１００の摩擦力により室外側から前記内筒１が回し難くなっている。
その他の構成を上記各実施形態と同様にすることにより、略同一の作用効果を得ることができる。
【００４３】
（回止対策）
図１７は回止対策に係る防犯レンズの内筒１の縦中央片面断面図である。
前記防犯レンズＪは、防犯レンズＣの広角レンズ１２３、キャップ１８及び防水リング１００を省略すると共に、厚さが約１ミリメール〜約１．５ミリメールの室外側フランジ部１０と、入射面が前記室外側フランジ部１０の表面１０１と略面一に配置されている対物レンズ１２０を備えている。
【００４４】
室外側フランジ部１０の厚さＷが約１ミリメール〜約１．５ミリメールであれば、これを回す力を伝達し難く、内筒１自体が外し難くなっている。
また、室外側に露出する室外側フランジ部１０が薄くなっているので、塩害対策にも適合する。
さらに、対物レンズ１２０の入射面がドア３により近づくため、室内側端部１０Ａからの視界が広がる。
その他の構成を上記各実施形態と同様にすることにより、略同一の作用効果を得ることができる。
【００４５】
（裏蓋対策）
図１８は裏蓋対策に係る防犯レンズの分解斜視図である。
前記防犯レンズＫは、前記防水リング１００を省略すると共に、前記外筒２の室内側端部１０Ａに取り付けられた取付枠２ａと、この取付枠に螺着されるネジ材２ｂを介して取付けられ、かつ、引寄せ可能なカバー１ａを備えている。
前記取付枠２ａは、弾性変形可能な材料、例えは鋼材をリボン状に加工し、その自由端の両端を対向起立させて前記ネジ材２ｂ用のネジ孔を形成したものである。
【００４６】
前記カバー１ａは、その上部にフック１ｃが形成され、このフック１ｃが前記ネジ２ｂに係着される。そして前記ネジ材２ｂの締付けにより、前記取付枠２ａが室内側端部１０Ａ或いはその近辺で固定され、前記カバー１ａがネジ材２ｂにより引寄せ（めくり）可能に支持されており、その下部には回転操作用の舌部１０ａが形成されている。
その他の構成を上記各実施形態と同様にすることにより、略同一の作用効果を得ることができる。
【００４７】
上記構成の防犯レンズＫは、室外側から室内の様子を窺うことはできないので防犯効果があるとともに、前記カバー１ａにより、室内側の温度が直接的にレンズ１２２に作用することを防ぐことが出来る点で、防犯レンズの曇り止め防止効果を発揮させることもできる。
さらに、ドアに既設されている防犯レンズに容易に後付けすることができる。
【００４８】
（防曇対策＋防水対策）
次に図１９及び図２０に基き、防曇対策と防水対策を併せた防犯レンズＬの構成例を説明する。
この実施形態は、前記室外側フランジ部１０の凹部１２に弾性シーリング材５Ａを配置すると共に、キャップ１８と広角レンズ１２３間にも弾性シーリング材５Ｂを配置した点に特徴がある。
【００４９】
前記弾性シーリング材５Ａとして、リング状のゴム５Ａが用いられており、このリング状ゴム５Ａは、前記室外側フランジ部１０の凹部１２の内周縁１２ａに嵌込まれる外縁５ａと、内筒１の筒口１１に対応する孔５０を備え、黒色に着色されている。
【００５０】
前記弾性シーリング材５Ｂとして、略Ｏリング状のゴム５Ｂが用いられており、このＯリング状ゴム５Ｂは、前記広角レンズ１２３の外縁１２３ａが当接する前記ギャップ１８の開口縁１８ａの裏面側に配置される。
【００５１】
前記ゴム５Ａ、５Ｂは、薄膜状の天然ゴム又は合成ゴムであるが、弾性を備えたシーリング材であれば、どのような材質でもよい。
【００５２】
前記ゴム５Ａ、５Ｂによれば、その弾性変形の作用により、広角レンズ１２３の出射面１２３ｂと凹部１２間で圧着され、前記ゴム５Ｂと共に二重の水密の機能が発揮される。
よって、前記凹部１２に浸入しようとする雨水等が阻止され、レンズ１２３の空間１６Ａの曇りを防止することができ、またレンズ１２３の周囲又は前記レンズ１２０、レンズ１２１の周囲から前記空間１６に浸入してくる恐れがある湿気を遮断することができる。
その他、従来のように広角レンズ１２３の出射面側の、前記凹部１２に接する部分の研磨及び艶消塗り（墨塗り）の手間を省くことができる、雨水等の浸入により前記ゴム５Ａ、５Ｂが色褪せることがない、という効果を奏する。
その他の構成を上記各実施形態と同様にすることにより、略同一の作用効果を得ることができる。
【００５３】
（裏蓋対策）
次に図２１に基き、裏蓋対策に係る防犯レンズＭの構成例を説明する。
防犯レンズＭは、合成樹脂によりカバー取付部２ｄを略ハット状に形成すると共に、円柱状の貫通孔を設け、その縁にカバー１ｄを回転可能に支持するネジ３ｄを取付けたものである。
このカバー取付部２ｄを取り付けるには、外筒２の室内側端部（接眼端部２４）１０Ａから、カバー取付部２ｄを押し込むようにすればよい。
この防犯レンズＭは一枚ドア用のもので、室内側端部からの押込幅Ｗが僅少でも安定的に取り付けることができる。
その他の構成を上記各実施形態と同様にすることにより、略同一の作用効果を得ることができる。
【００５４】
上記構成の防犯レンズＭは、室外側から室内の様子を窺うことはできないので防犯効果があるとともに、前記カバー１ａにより、室内側の温度が直接的にレンズ１２２に作用することを防ぐことが出来る点で、防犯レンズの曇り止め防止効果を発揮させることもできる。
その他の構成を上記各実施形態と同様にすることにより、略同一の作用効果を得ることができる。
【００５５】
その他、上記各カバー１ａ等の室内側の面に蛍光顔料（蛍光物質）が含有された蛍光塗料を塗布してもよい。
蛍光塗料は、反射される光と同位相の光がプラスされて光が増幅されるように作用することが知られており、輝度が高まる。
よって、前記カバー１ａ等の位置を視認し易くなり、室内側端部１０Ａの覗き窓１１Ａの位置を把握しやすい防犯レンズを提供できる。
蛍光顔料（蛍光物質）が用いられるものであれば、蛍光塗料に限定されることはなく、蛍光テープを前記カバー１ａの面に貼ってもよい。
なお、蛍光塗料の塗布範囲や蛍光テープの貼布範囲は任意であって、例えば前記カバー１ａの面の中心や、面の外縁でもよい。さらに前記内筒１の内面全体に蛍光塗料等を塗布してもよい。
また、上記各カバー１ａ等の室内側面に鏡を取付けてもよい。
居住者は玄関等の灯りを点灯せずに、カバーの室内側面の鏡からの光によりカバーの所在、ひいては防犯レンズの位置を視認することができる。
よって、訪問者が防犯レンズを介して室内側の居住者の動きや室内の様子を察知することができず、居住者にとっては安心であり、防犯効果がさらに高まる。
【００５６】
また、前記カバー１ａの室内側面に、蛍光塗料に代えて蓄光顔料が含まれている蓄光塗料を塗布してもよい。
蓄光塗料は、太陽光又は人口照明の光のエネルギーが蓄えられて、暗闇でも一定時間、発光するものである。
よって、前記蛍光塗料と略同様に機能することが期待でき、前記カバー１ａの位置を視認し易くなり、室内側端部１０Ａの覗き窓１１Ａの位置を把握しやすい防犯レンズを提供できる。
蓄光顔料（蓄光物質）が用いられるものであれば、蓄光塗料に限定されることはなく、蓄光テープを前記カバー１ａの面に貼ってもよい。
【００５７】
（回止対策）
次に図２２及び図２３に基き、回止対策に係る防犯レンズＮの構成例を説明する。
この防犯レンズＮは、防犯レンズＣの広角レンズ１２３、キャップ１８及び防水リング１００を省略すると共に、前記室外側フランジ部１０と前記ドア板３間に第１の空転リング６及びこの第１の空転リング６を空転させる第２の空転リング７を配置している。
第１の空転リング６は、その内径が前記第２の空転リング７の外径の外周面を滑るようなサイズに形成され、その外径が前記室外側フランジ部１０の室外側周面の端部１０ａから連続するテーパ面を形成できるサイズに形成され、前記端部１０ａは、第１の空転リング６に形成されている面取により安定的に載置されている。
前記第２の空転リング７は、前記内筒１の嵌合部１３を跨いでその嵌合部１３に取付けられ、前記嵌合部１３に取付可能な内径を備え、その外径は、前記室外側フランジ部１０の端部１０ａより小さなサイズに形成されている。
この第２の空転リング７の厚さは、前記第１の空転リング６よりも若干肉厚に形成されており、前記室外側フランジ部１０と前記ドア板３間に第１の空転リング６及び第２の空転リング７を配置した場合に、空転リング７がドア板３と室外側フランジ部１０で圧着されても、前記第１の空転リング６が空回りできるようにしている。
なお、図２２及び図２３において、符号「１３０」は内筒１の回止機構を構成する切欠である。
この防犯レンズＮによれば、前記第１の空転リング６をスパナ等の冶具で掴み、回しても第１の空転リング６のみが空回りするのみで、室外側フランジ部１０が同調して回ることはなく、回止対策になっている。
その他の構成を上記各実施形態と同様にすることにより、略同一の作用効果を得ることができる。
【００５８】
（回止対策）
次に図２４及び図２５に基き、回止対策に係る防犯レンズＯの構成例を説明する。
この実施形態は、防犯レンズの広角レンズ１２３、キャップ１８及び防水リング１００を省略すると共に、前記室外側フランジ部１０と前記ドア３間に空転リング６を配置し、一方、この空転リング６を空転させる空転リング部１３１を前記嵌合部１３に形成している。
前記空転リング６は、その内径が前記空転リング部１３１の外周面を空回り可能なサイズに形成されている。その他の構成は前記防犯レンズＪの第１の空転リング６と同様に形成されている。
前記空転リング部１３１は、前記嵌合部１３が室外側フランジ部１０に接する部分を円柱状の段状に形成されたものであり、その径は前記室外側フランジ部１０の端部１０ａより小さなサイズに形成されている。
前記空転リング部１３１の厚さは、前記第２の空転リング７と同様に、前記空転リング６よりも若干肉厚に形成されており、前記室外側フランジ部１０と前記ドア板３間に空転リング６を配置した場合に、前記空転リング６が空回りできるようにしている。
この防犯レンズＯによれば、上記防犯レンズＮに比べ、部品点数が少ないことから、ドアに対する防犯レンズＫの取付が容易になる。
その他の構成を上記各実施形態と同様にすることにより、略同一の作用効果を得ることができる。
【００５９】
上記防曇対策、塩害対策、防水対策、回止対策及び裏蓋対策の各構成の組合わせは任意であって、防犯レンズの設置環境に応じて取捨選択して組合わせることができる。
例えば、防犯レンズＨの前記室外側フランジ部１０の凹部１２に弾性シーリング材５Ａを配置すると共に、キャップ１８と広角レンズ１２３間にも弾性シーリング材５Ｂを配置してもよい。また前記室外側フランジ部１０と前記ドア板３間に防水リング１００を配置したものでもよい。このような構成により、塩害対策に防水対策を加えることができる。
また、例えば、防曇対策と塩害対策と防水対策と回止対策と裏蓋対策の各構成を組み合わせてものでもよいし、塩害対策と防水対策と回止対策と裏蓋対策の各構成、防水対策と回止対策と裏蓋対策の各構成、回止対策と裏蓋対策の各構成、防曇対策と防水対策と回止対策と裏蓋対策の各構成を組み合わせてものでもよい。
その他、上記各対策の各構成は、上述のように広角レンズ１２３が取付けられている防犯レンズＡのほか、このレンズを省いた防犯レンズ、キャップ１８を省略した防犯レンズ、また、一枚ドア用の防犯レンズ（公団用）に用いても良い。
【図面の簡単な説明】
【００６０】
【図１】第１実施形態に係る防犯レンズの縦中央片面断面図、
【図２】同防犯レンズの分解斜視図、
【図３】第２実施形態に係る防犯レンズの縦中央片面断面図、
【図４】同防犯レンズの分解斜視図、
【図５】第３実施形態に係る防犯レンズの縦中央片面断面図、
【図６】同防犯レンズの分解斜視図、
【図７】第４実施形態に係る防犯レンズの分解斜視図、
【図８】第５実施形態に係る防犯レンズの縦中央片面断面図、
【図９】同防犯レンズの分解斜視図、
【図１０】第６実施形態に係る防犯レンズの分解斜視図、
【図１１】別例の防犯レンズの縦中央片面断面図、
【図１２】同分解斜視図、
【図１３】別例の防犯レンズの縦中央片面断面図、
【図１４】同分解斜視図、
【図１５】別例の防犯レンズの縦中央片面断面図、
【図１６】同分解斜視図、
【図１７】別例の防犯レンズの内筒の縦中央片面断面図、
【図１８】別例の防犯レンズの分解斜視図、
【図１９】別例の防犯レンズの縦中央片面断面図、
【図２０】同防犯レンズの分解斜視図、
【図２１】別例の防犯レンズの分解斜視図、
【図２２】別例の防犯レンズの縦中央片面断面図、
【図２３】同防犯レンズの分解斜視図、
【図２４】別例の防犯レンズの縦中央片面断面図、
【図２５】同防犯レンズの分解斜視図である。
【符号の説明】
【００６１】
１  内筒
１ａ  １ｄ  １ｆ  カバー
２  外筒
２ａ  取付枠
２３  被螺着部
２４  接眼端部
３ａ  ３ｄ  ３ｅ  ピン
１０ａ  １０ｄ  舌部
１０  室外側フランジ部
１０Ａ  室内側端部
１１  筒口
１２  凹部                            １２ａ  凹部の内周縁
１３  嵌合部
１４  室内側端部
１５  スリーブ
１６  空間
１７  孔
１７Ａ  封止部
１８  キャップ
１９  ガス体
１００ａ  内周
３  室外側ドア板                      ３０  取付孔
４  室内側ドア板                      ４０  取付孔
５Ａ  ゴム                            ５Ｂ  ゴム
５０  孔
１００  防水リング                    １０１  表面
１２３  広角レンズ
１８０  塗料（塗膜）
６  ６ａ  第１の空転リング
７  ７ａ  第２の空転リング
１３０  切欠
１３１  空転リング部
６０  ６１  フック部
６２  ６５  プレート部
【図１】
2008019689.tif 000003
【図２】
2008019689.tif 000004
【図３】
2008019689.tif 000005
【図４】
2008019689.tif 000006
【図５】
2008019689.tif 000007
【図６】
2008019689.tif 000008
【図７】
2008019689.tif 000009
【図８】
2008019689.tif 000010
【図９】
2008019689.tif 000011
【図１０】
2008019689.tif 000012
【図１１】
2008019689.tif 000013
【図１２】
2008019689.tif 000014
【図１３】
2008019689.tif 000015
【図１４】
2008019689.tif 000016
【図１５】
2008019689.tif 000017
【図１６】
2008019689.tif 000018
【図１７】
2008019689.tif 000019
【図１８】
2008019689.tif 000020
【図１９】
2008019689.tif 000021
【図２０】
2008019689.tif 000022
【図２１】
2008019689.tif 000023
【図２２】
2008019689.tif 000024
【図２３】
2008019689.tif 000025
【図２４】
2008019689.tif 000026
【図２５】
2008019689.tif 000027